(57)【要約】【課題】小型から大型の魚釣用リールまで安定して装着することができ、操作性に優れ、かつ破損を防止することができる釣竿を提供すること【解決手段】２１ｍｍから２４ｍｍの範囲の外径を有するリールシート本体２８の外周部にリール脚載置面２８ａを凹設し、それぞれが魚釣用リール８の取付脚部８ａの端部を受入れる開口部５０ａ，５２ａを対向させて配置させた一対のフード５０，５２の少なくとも一方を、リール脚載置面に沿って軸方向に移動可能な移動フードとして形成し、リールシート本体２８の外周部に設けた雄ねじ３８に螺合される固定ナット部材５４により、他方のフード５０から離隔する方向への移動を阻止し、先竿１４の後端部に、魚釣用リール８の取付脚部８ａの前端部よりも後方領域に達するまで、リールシート本体２８内に嵌合されるジョイント部材１６が取付けられる釣竿１０。【選択図】      図４
2007029054.tif 000002
【特許請求の範囲】
【請求項１】
元竿の先端部に取付けられて魚釣用リールを固定するリール脚固定装置を備え、このリール脚固定装置を介して先竿の後端部を継合する釣竿であって、
前記リール脚固定装置は、魚釣用リールの取付脚部を載置するリール脚載置面を、２１ｍｍから２４ｍｍの範囲の外径を有する外周部に凹設したパイプ状のリールシート本体と、前記リール脚載置面に沿い、それぞれが魚釣用リールの取付脚部の端部を受入れる開口部を対向させて配置させた一対のフードとを有し、これらの一対のフードの少なくとも一方は、リール脚載置面に沿って軸方向に移動可能な移動フードとして形成され、前記リールシート本体の外周部に設けられた雄ねじに螺合される固定ナット部材により、他方のフードから離隔する方向への移動を阻止され、
前記先竿の後端部には、装着される魚釣用リールの取付脚部の前端部よりも後方領域に達するまで、前記リールシート本体内に嵌合されるジョイント部材が取付けられることを特徴とする釣竿。
【請求項２】
前記リールシート本体は、１３０ｍｍから１５０ｍｍの範囲の長さを有し、前記雄ねじは、リールシート本体の前端部から、リールシート本体の長さの半分以上の軸方向範囲にわたって形成されることを特徴とする請求項１に記載の釣竿。
【請求項３】
前記リールシート本体およびジョイント部材は、金属製であることを特徴とする請求項１又は２に記載の釣竿。
【請求項４】
前記リール脚載置面が形成される部位の肉厚は、他の部位の肉厚よりも薄く、リール脚載置面の軸方向に沿う両側縁部間の中央部で、０．６ｍｍから１ｍｍの範囲の肉厚に形成されることを特徴とする請求項１から３のいずれか１つに記載の釣竿。
【請求項５】
前記フードの開口部は、前記リール脚載置面の軸方向に沿う両側縁部間の幅寸法より大きくかつリールシート本体の外径寸法よりも小さい幅寸法に形成された開口端を有し、この開口端から内部に向けて幅寸法が次第に減少することを特徴とする請求項１から４のいずれか１つに記載の釣竿。
【請求項６】
前記移動フードは、リールシート本体に対する周方向移動を規制する回転規制部が設けられることを特徴とする請求項１から５のいずれか１つに記載の釣竿。
【発明の詳細な説明】
【技術分野】
【０００１】
本発明は、魚釣用リールを固定するリール脚固定装置を備えた釣竿に関する。
【背景技術】
【０００２】
一般に、釣竿のリール脚固定装置は、魚釣用リールの取付脚部が載置されるリール脚載置面と、このリール脚載置面の軸方向に沿って互いに対向させて設けられ、それぞれが取付脚部を受け入れる開口を有し、かつ、一方がリール脚載置面に対して移動し、所要位置に固定可能な移動フードである一対のフードとを備えている。これらの一対のフード間に取付脚部を挟持させることにより、リールを釣竿に装着する。このようなリール脚固定装置には、レバーの起伏操作によって移動フードを移動および固定するレバー式のものの他、ナット部材の締め付け動作によって移動フードを移動および固定するナット式のものが知られている。
【０００３】
このようなリール脚固定装置を備えた釣竿には、円筒状の元竿の先端口内に継竿の根部を挿入し、継竿の外周に固着した金属製の短い筒管の端面から突出させた凸起を元竿の端面に喰込ませて凹部を形成し、これらの凸凹による係合で互いに回動しないように継合させ、筒管の外周に形成した突鍔に係らせる内周突縁を設けた袋ナットをこの筒管に軸方向に移動可能に挿嵌し、元竿の先端外周に固着されかつリールを取付ける螺筒の螺旋に螺合させたものがある（例えば特許文献１参照)。  
この釣竿では、螺筒に設けた一対のリール受の一方を軸方向に移動できるようにして、リールの大きさ形式に適応できるようにしてある。
【特許文献１】実公昭５９−２３５０６号公報
【発明の開示】
【発明が解決しようとする課題】
【０００４】
このような従来のリール脚固定装置を備えた釣竿は、継竿の外周に固着した金属製の筒管から突出する突起を、カーボン繊維等を合成樹脂で固結して成形した賦形成を有する元竿の端面に喰込ませて回動を阻止すると共に、この元竿の外周に固着した螺筒の外周面にリールを載置して固定するものであり、例えば大型の魚釣用リールを用いた場合にはこの魚釣用リールが元竿の外周面からの突出高さが大きく、不安定となる。  
本発明はこのような事情に基づいてなされたもので、小径のリールシート本体を有するリール脚固定装置を備えた釣竿であっても、小型から大型の魚釣用リールまで安定して装着することができ、操作性に優れ、かつ破損を防止することができる釣竿を提供することを目的とする。
【課題を解決するための手段】
【０００５】
上記目的を達成するため、本発明によると、元竿の先端部に取付けられて魚釣用リールを固定するリール脚固定装置を備え、このリール脚固定装置を介して先竿の後端部を継合する釣竿であって、前記リール脚固定装置は、魚釣用リールの取付脚部を載置するリール脚載置面を、２１ｍｍから２４ｍｍの範囲の外径を有する外周部に凹設したパイプ状のリールシート本体と、前記リール脚載置面に沿い、それぞれが魚釣用リールの取付脚部の端部を受入れる開口部を対向させて配置させた一対のフードとを有し、これらの一対のフードの少なくとも一方は、リール脚載置面に沿って軸方向に移動可能な移動フードとして形成され、前記リールシート本体の外周部に設けられた雄ねじに螺合される固定ナット部材により、他方のフードから離隔する方向への移動を阻止され、前記先竿の後端部には、装着される魚釣用リールの取付脚部の前端部よりも後方領域に達するまで、前記リールシート本体内に嵌合されるジョイント部材が取付けられる釣竿が提供される。
【０００６】
前記リールシート本体は、１３０ｍｍから１５０ｍｍの範囲の長さを有し、前記雄ねじは、リールシート本体の前端部から、リールシート本体の長さの半分以上の軸方向範囲にわたって形成されることが好ましい。  
また、前記リールシート本体およびジョイント部材は、金属製であることが好ましい。
【０００７】
更に、前記リール脚載置面が形成される部位の肉厚は、他の部位の肉厚よりも薄く、リール脚載置面の軸方向に沿う両側縁部間の中央部で、０．６ｍｍから１ｍｍの範囲の肉厚に形成されることが好ましい。  
更に、前記フードの開口部は、前記リール脚載置面の軸方向に沿う両側縁部間の幅寸法より大きくかつリールシート本体の外径寸法よりも小さい幅寸法に形成された開口端を有し、この開口端から内部に向けて幅寸法が次第に減少することが好ましい。  
前記移動フードは、リールシート本体に対する周方向移動を規制する回転規制部が設けられることが好ましい。
【発明の効果】
【０００８】
本発明の釣竿によると、リール脚載置面がリールシート本体の外周部に凹設されることにより、リールシート本体の外周面から魚釣用リールが突出する高さが低くなり、更に、先竿の後端部に取付けられたジョイント部材が魚釣用リールの取付脚部の前端部よりも後方領域まで、このリールシート本体内に嵌合されて延びることにより、リールシート本体の強度が確保され、小径のリールシート本体を有するリール脚固定装置を備えた釣竿であっても、小型から大型の魚釣用リールまで安定して装着することができ、操作性に優れ、かつリール脚固定装置及び元竿の破損を防止することができる。
【０００９】
雄ねじが、リールシート本体の前端部から、リールシート本体の長さの半分以上の軸方向範囲にわたって形成される場合には、例えば取付脚部の長さが６０ｍｍから６４ｍｍの小型の魚釣用リールから、例えば取付脚部の長さが７１ｍｍから７５ｍｍ間での大型の魚釣用リールまでの種々の魚釣用リールを装着することができ、リールシート本体に大きな荷重が作用しても、リール脚載置面や雄ねじの谷部からの破損を防止することができる。
リールシート本体およびジョイント部材が金属製の場合には、樹脂で形成する場合と比較してリールシート本体の変形を小さくすることができ、雄ねじの谷部やリール脚載置面からの破損を防止することができる。
【００１０】
リール脚載置面が形成される部位の肉厚が他の部位の肉厚よりも薄く形成される場合には、リールシート本体が小径であっても、凹設すなわちリールシート本体の外周面からの沈み込む量を大きくすることができ、大きさの異なる魚釣用リールを装着したときに、魚釣用リールの取付脚部をリール脚載置面上に安定して載置させることができ、更に、このリールシート本体内に嵌合されるジョイント部材がこのリール脚載置面の内側に配置されることにより、装着した大きな魚釣用リールから大きな荷重が作用しても、リール脚載置面および雄ねじを形成した部分からの破損を防ぐことができ、しかも、リールシート本体の軽量化を図ることができる。  
フードの開口部が、開口端から内部に向けて幅寸法が次第に減少する場合には、小型の魚釣用リールから大型の魚釣用リールまで、ガタツキを生じさせること無く、確実に固定することができる。  
移動フードに回転規制部が設けられる場合には、固定ナット部材の回動によって移動フードを移動し、魚釣用リールの取付脚部を固定するときに、この移動フードが回転を防止されることにより、取付脚部の両側部に均等に締付力が作用し、ガタツキを生じさせること無く、確実に魚釣用リールを固定することができる。
【発明を実施するための最良の形態】
【００１１】
図１および図２は、本発明の好ましい実施形態による釣竿１０を示す。  
この釣竿１０は、元竿１２と先竿１４とをこの先竿１４の後端部に設けたジョイント部材１６で継合した２本継の船竿として形成してある。この元竿１２の先端部には、魚釣用リール８を固定するリールシートすなわちリール脚固定装置１８が配置され、このリール脚固定装置１８の後方に釣人が握持する後方握り部２０が配置されている。また、元竿１２の後端部には尻栓２２および尻手金具２４が設けられ、実釣時には、この尻栓２２を釣人の腹に当てた状態で後方握り部２０および前方握り部２６を握持し、この釣竿１０を操作して魚とのやり取りを行うことができる。
【００１２】
この元竿１２の先端部にジョイント部材１６で継合される先竿１４は、ジョイント部材１６の前方側に前方握り部２６が設けられており、釣竿１０の外面に釣糸が接触するのを防止する釣糸ガイド６が、魚釣用リール８と同じ側で、釣竿１０の穂先に向けて所定間隔をおいて固定され、竿先にはトップガイド６ａが取付けられている。このような釣糸ガイド６の個数および配置位置は、図示の例に限らず、任意に設定することが可能である。例えば図示のように釣糸ガイド６を先竿１４の外側に固定した構造に限らず、移動可能にしてもよい。更に、この釣竿１０は、先竿１４を中通し竿に形成してもよく、３本以上の節を継合させたものであってもよく、この場合の先竿１４は、元竿１２に継合される節を指す。
【００１３】
本実施形態の釣竿１０に用いるリール脚固定装置１８は、魚釣用リール８を取付けるための中空構造のリールシート本体２８を備える。このリールシート本体２８は、好適な金属材料（例えばＳＵＳ、アルミニウム合金、チタン、真鍮等）から、長さが１３０ｍｍから１５０ｍｍの範囲で、外形が２１ｍｍから２４ｍｍの範囲の筒状構造に形成される。このリールシート本体２８内には、後端側から挿入される繊維強化樹脂製であるのが好ましい元竿本体３０が、例えば接着剤を用いて接着固定される。このリールシート本体２８の後端側に隣接して設けられる後方握り部２０は、元竿本体３０の外周部に、例えばＥＶＡ、ゴム、エラストマー、発泡剤あるいはコルク等の合成あるいは天然の柔軟性部材を配置することにより形成するのが好ましく、先竿１４に設けられる前方握り部２６についても同様である。後方握り部２０および前方握り部２６をこのような柔軟性部材で形成することにより、長時間にわたって魚とやり取りする際も、握持する手が痛くなることもなく、十分に握り込むことが可能で、ホールド性あるいは握持性が向上する。なお、釣竿１０の用途によっては、前方握り部２６を省略してもよい。
【００１４】
この後部握り部２０の前部および後部には、装飾を兼ねる前部保持リング３２と中部保持リング３４とが配置される。また、元竿本体３０の後部には、上述の尻手金具２４が取付けられる後部保持リング３６が設けられる。前部保持リング３２は、リール脚固定装置１８との間に周方向凹部を形成する。また、中部保持リング３４と後部保持リング３６との間の元竿本体３０の外周部には、元竿本体３０の外面の損傷あるいは破損等を防止する補強部材（図示しない）が配置されるのが好ましい。このような補強部材は例えば元竿本体３０の外周部に金属製や樹脂製のパイプ状部材を設けてもよいし、あるいは一体形成した塗膜等であってもよく、あるいはゴム部材等の別個の部材を被覆して形成してもよく、不要の場合には、省略することもできる。
【００１５】
図３から図６は、このような釣竿１０の各部を拡大して示す。  
図３および図４に示すように、リールシート本体２８の先端側からは、ジョイント部材１６が挿入され、このジョイント部材１６の先端側に回転自在でかつ軸方向移動を規制されて装着された接続ナット部材１６ａが、リールシート本体２８の先端側から、このリールシート本体２８の長さの半分以上の長さにわたるのが好ましい所要範囲にわたって形成された雄ねじ部３８に螺合される。  
本実施形態のジョイント部材１６は、例えばＳＵＳ、アルミニウム合金、真鍮、チタン等の好適な金属により、先竿本体４０を受入れる開口を先端に設け、後端側すなわちリールシート本体２８内に収容される端部に底壁部４２を設けた中空構造に形成してあり、先端の開口からその基端部を挿入される繊維強化樹脂製であるのが好ましい先竿本体４０が、例えば接着剤を用いてこのジョイント部材１６内に接着固定される。この底壁部４２の外面には、断面が略Ｖ字状の溝部４２ａを径方向に沿って形成し、この溝部４２ａをリールシート本体２８内に固定された径方向のピン部材あるいは突条２９（図４参照）に係合させることができる。このジョイント部材１６は、リールシート本体２８の内径にほぼ対応してこのリールシート本体２８内に密に嵌合する外径寸法を有し、先端側の外周部には、指で保持し易くするための先端側にフランジ部４４ａを有する環状凹部４４が凹設され、更に、接続ナット部材１６ａの内周側突条１７に係合する環状突起４６が一体に形成されている。この環状突起４６と環状凹部４２の後端側縁部との間は、接続ナット部材１６ａの軸方向長さに対応した間隔が形成されるのが好ましい。
【００１６】
これにより、ジョイント部材１６をリールシート本体２８内に挿入し、接続ナット部材１６ａをねじ部３８に螺合して締付けると、ジョイント部材１６の底壁部４２に形成された溝部４２ａがリールシート本体２８の内部に形成された突状２９に嵌合して回転を阻止され、環状突起４６および内周側突条１７を介して接続ナット部材１６ａで抜け止め固定され、元竿１２と先竿１４との継合が完成する。なお、リールシート本体２８の先端部とジョイント部材１６の外周部に突出する環状突部４６との間に、Ｏリング４８等の弾性部材を介挿することにより、リールシート本体２８とジョイント部材１６との間の緩みを防止することができる。また、環状突起４６と環状凹部４２の後端側縁部との間に形成される間隔は、接続ナット部材１６ａを雄ねじ部３８から外したときに、環状凹部４４の先端側フランジ部４４ａを外部に露出させる大きさに形成してある。これにより、先竿１４を元竿１２から抜出すときに、指が滑るのを防止してリールシート本体２８に対して、竿先１４のジョイント部材１６を容易に挿入し、抜出すことができる。
【００１７】
このリールシート本体２８は、図３では上側に示す一側に、魚釣用リール８の取付脚部８ａを載置するリール脚載置面２８ａが形成されている。このリール脚載置面２８ａは、リールシート本体２８のほぼ２１ｍｍから２４ｍｍの外径を有する外周面を凹設させて、図３の（Ｂ）に示すように、リール脚載置面２８ａの軸方向に沿う両側縁部２８ｂ間で沈み込み量がほぼ０．５ｍｍから２ｍｍとなるフライス面状に形成してある。このように凹設するリール脚載置面２８ａは、両側縁部２８ａ間のほぼ中央部の肉厚ｔ１を、ほぼ０．６ｍｍから１ｍｍの範囲に維持し、ほぼ１．５ｍｍから２．５ｍｍの肉厚ｔを有する周方向に隣接する他の部位よりも薄肉構造としつつ十分な強度を付与することが好ましい。このように、リール脚載置面２８ａをリールシート本体２８の外周部に凹設することにより、魚釣用リール８を載置したときの高さを低くでき、安定した操作性につながる。
【００１８】
このように、リール脚載置面２８ａを凹設することで、リールシート本体２８の外径が２１ｍｍから２４ｍｍと小径の構造に形成されている場合であっても、凹設すなわちリールシート本体２８の外周面からの沈み込む量を大きくすることができ、魚釣用リール８を安定してリール脚固定装置１８に固定することができる。また、大きさの異なる魚釣用リールを装着したときでも、魚釣用リール８を載置したときの高さを低くして安定した操作性を得ることができる。更に、このようにリール脚載置面２８ａがリールシート本体２８を薄肉構造とするとしても、このリールシート本体２８内に、上述のようにジョイント部材１６が挿入されて密に嵌合されることにより、このリールシート本体２８の所要の強度を確保することができる。このような強度を確保するために、ジョイント部材１６は、図４に示すように、魚釣用リール８の取付脚部８ａの前端部よりも後方領域に達するまで、すなわち雄ねじ３８を形成した範囲にわたって、リールシート本体２８内に嵌合される十分な長さを有する。特に、リールシート本体２８およびジョイント部材１６が上述のような好適な金属で形成されることにより、樹脂で形成する場合と比較してリールシート本体２８の変形を小さくすることができ、雄ねじ３８の谷部やリール脚載置面２８ａからの破損を防止することができる。
【００１９】
図４に示すように、このリール脚載置面２８ａの後端部すなわち後方握り部２０に近接した位置に、開口部５０ａを前方に開口させた固定フード５０が一体的に設けられ、前部には、固定フード５０の開口部５０ａに対向する開口部５２ａを後方に向けて開口させた移動フード５２が軸方向に沿って移動自在に装着され、上述のように、先端部からリールシート本体２８のほぼ半分以上の所定の軸方向範囲にわたって外周部に形成したねじ部３８に螺合する２つの固定ナット部材５４により、前方移動すなわち固定フード５０から離隔する方向への移動が確実に阻止される。雄ねじ部３８がリールシート本体２８の前端部からこのリールシート本体２８のほぼ半分以上の長さにわたって形成されていることにより、例えば取付脚部８ａの軸方向長さが６０ｍｍから６４ｍｍの小型の魚釣用リール８から、例えば取付脚部８ａの軸方向長さが７１ｍｍから７５ｍｍ間での大型の魚釣用リール８までの種々の魚釣用リール８を装着することができる。しかも、大型の魚釣用リール８を取付けたときに、リールシート本体２８に大きな荷重が作用しても、ジョイント部材１６が雄ねじ３８を形成した範囲にわたってこの内部に配置されているため、リール脚載置面２８ａや雄ねじ３８の谷部からの破損も確実に防止することができる。
【００２０】
この移動フード５２はリールシート本体２８に対して回り止めされていることが好ましいが、十分な緩み止めが確保できるものであれば、リールシート本体２８に対して回動できるようにしてもよい。リールシート本体２８に対して移動フード５２を回り止めする場合は、図５に示すように、移動フード５２の内周側からリール脚載置面２８ａに向けて突部５２ｂを回転規制部として突出させ、このリール脚載置面２８ａを凹設した部位に、この突部５２ｂを突入させることで、極めて簡単かつ確実に行うことができる。なお、図５に示すように、移動フード５２の内周側から突出する突部５２の内周面をリール脚載置面２８ａ側に突出させ、リール脚載置面２８ａの側縁部２８ｂに係合させることで移動フード５２の回転を規制することに代え、例えばこれらの移動フード５２とリールシート本体２８との間に互いに嵌合するキーとキー溝とを形成し、軸方向の移動を可能としつつリールシート本体２８に対する周方向移動を規制してもよい。回転規制部としてのキーあるいはキー溝は、リール脚載置面２８に対応する部位以外の部位に設けることが好ましい。
【００２１】
このような回転規制部を移動フード５２に設ける場合は、固定ナット部材５４の回動によって移動フード５２を移動し、魚釣用リール８の取付脚部８ａを固定するときに、この移動フード５２の回転が防止されることにより、取付脚部８ａの両側部に均等に締付力が作用し、ガタツキを生じさせること無く、確実に魚釣用リール８をリール脚固定装置１８および釣竿１０に固定することができる。
【００２２】
本実施形態では固定フード５０である後方のフードには、リール脚載置面２８ａの側方に配置される側部のそれぞれに、例えば円筒状あるいは円錐状の曲面で形成される隣接部位から区画された平坦状の係止面５６が設けられている。本実施形態では、これらの２つの係止面５６は、リール脚載置面２８ａに対して交差する面内、すなわちリール脚載置面２８ａから周方向にほぼ等距離でかつ互いにほぼ平行となる位置で、リールシート本体２８の軸線を中心とした対称面内に配置されている。
【００２３】
この固定フード５０に設けた係止面５６は、実釣中すなわち魚釣用リール８を装着した状態で、リール脚固定装置１８を手で保持する際、隣接する曲面部とはその表面形状が異なり、保持した手の中指あるいは薬指の指先の腹を確実に当接させて、指の引掛かりとすることができる。このとき、この指先が当接した係止面５６と反対側の係止面５６には掌の指のつけ根部分が当接し、この固定フード５０を掌の指のつけ根部分と指先との間に挟み込む状態となる。これにより、互いに略平行状態に対向する一対の平坦状の係止面５６を介して握持することになり、特に釣竿の回転を抑えることができ、極めて安定した状態で把持することができる。更に、魚釣用リール８を装着する際、リール脚固定装置１８を確実に保持できることで、その装着が容易であり、特に、小型の魚釣用リール８であっても、固定フード５０の幅すなわち対向する係止面５６間の寸法が小さくなり、容易に装着することができる。移動フード５２にも同様な係止面５８を設けてもよく、この場合には、特に移動フード５２と固定フード５０との外観が統一されるだけでなく、移動フード５２の装着方向の特定が容易で、取扱いを容易にすることができる。
【００２４】
固定フード５０の開口部５０ａは、内部すなわち後端側に向けて次第に高さが低くなり、一方、移動フード５２の開口部５２ａは内部すなわち先端側に向けて次第に高さが低くなり、移動フード５２を後方に移動して固定フード５０との間に魚釣用リール８の取付脚部８ａを締付けたときに、これらの互いに同一構造で逆方向に向く開口部５０ａ，５２ａを介して魚釣用リール８の取付脚部８ａをリール脚載置面２８ａ側に付勢し、これにより、魚釣用リール８をリール脚固定装置１８に強固に固定することができる。魚釣用リール８の取付脚部８ａを後端側で支える固定フード５０は、本実施形態のように、金属又は硬質の合成樹脂でリールシート本体２８とは別体構造に形成し、リールシート本体２８に強固に固定してもよいし、リールシート本体２８と一体構造に形成してもよい。金属で形成する場合には、魚釣用リール８のリールの取付脚部８ａに当接する部位に樹脂製等の部材を配置し、金属間の接触による各部材の損傷を防止することが好ましい。
【００２５】
図６の（Ａ）に示すように、移動フード５２の開口部５２ａはその開口端の幅Ｌがリール脚載置面２８ａの幅すなわち側縁部２８ｂ間の幅寸法ｓとほぼ等しく形成し、図６の（Ｂ）に示すように、幅寸法ｓよりも大きくかつリールシート本体２８の外径Ｄよりも小さく形成することが好ましい。この開口部５２ａは、開口端から内部に向けて幅寸法が次第に減少する。固定フード５０の開口部５０ａもこれと同様である。なお、リール脚載置面２８ａの幅すなわち両側縁部２８ｂ間の距離ｓは、リールシート本体２８の外径Ｄ（図６の（Ｂ）参照）よりも小さく形成してあり、したがって開口部５２ａ内にリールシート本体２８が入り込むことはない。
【００２６】
このように、固定フード５０および移動フード５２の開口部５０ａ，５２ａの幅寸法が、リール脚載置面２８ａの幅ｓ以上の寸法に形成された開口端の幅Ｌから、その内部に向けて次第に減少することにより、幅広に形成され、あるいはそれぞれの端部に向けてテーパ状に急激に縮小する大型の魚釣用リール８を取付ける場合、および、小型の魚釣用リール８を取付ける場合のいずれであっても、それぞれの取付脚部８ａの幅方向の移動および軸方向の移動の双方の移動を阻止し、これによりガタツキを生じさせること無く、リール脚固定装置１８に確実に固定することができる。
【００２７】
このように形成された釣竿１０は、リールシート本体２８の強度が確保され、このリールシート本体２８の外径がほぼ２１ｍｍから２４ｍｍの小径構造を有する場合であっても小型から大型の魚釣用リール８まで、様々な大きさの魚釣用リール８を安定して装着することができる。しかも、この魚釣用リール８の高さを低い位置に保持できるため、操作性に優れ、かつリール脚固定装置１８及び元竿１２の破損を防止することができる。
【図面の簡単な説明】
【００２８】
【図１】本発明の好ましい実施形態による釣竿の全体図。
【図２】図１に示す釣竿を分離した状態の説明図。
【図３】図１に示す釣竿の継合部を拡大して示し、（Ａ）はリール脚固定装置とジョイント部材とを分離した状態の説明図、（Ｂ）はリールシート本体上のリール脚載置面の説明図。
【図４】図１に示す釣竿のリール脚固定装置の部分断面図。
【図５】図４に示すリール脚固定装置の移動フードの説明図。
【図６】図４に示す移動フードの開口部とリール脚載置面との関係を示し、（Ａ）は開口端とリール脚載置面とをほぼ同じ大きさの幅に形成した状態の説明図、（Ｂ）は開口端をリール脚載置面よりも大きく形成した状態の説明図。
【符号の説明】
【００２９】
８…魚釣用リール、８ａ…取付脚部、１０…釣竿、１２…元竿、１４…先竿、１６…ジョイント部材、１８…リール脚固定装置、２８…リールシート本体、２８ａ…リール脚載置面、３８…雄ねじ部、５０，５２…フード、５０ａ，５２ａ…開口部、５４…固定ナット部材。
【図１】
2007029054.tif 000003
【図２】
2007029054.tif 000004
【図３】
2007029054.tif 000005
【図４】
2007029054.tif 000006
【図５】
2007029054.tif 000007
【図６】
2007029054.tif 000008